(57)【要約】【課題】本発明はバッファメモリの使用率によって光ディスクの回転速度を高倍速モードと低倍速モードとを切り替えて、光ディスク装置とそれに接続された外部機器との総合した騒音を抑えることができる光ディスク装置及びその回転速度制御方法を提供することを目的とする。【解決手段】ホスト装置から入力した情報を判別する識別手段と、光ディスクに情報を記録する手段と、高倍速モードと低倍速モードとの複数の回転倍速モードで光ディスクを回転させる駆動手段と、高倍速モードと低倍速モードとのいずれかを選択する設定手段と、入力した所定時間連続するデータを記憶する記憶手段と、記憶した所定時間連続するデータを光ディスクに記録する際、高倍速モードが選択されていると、記憶手段の使用率を判断し、使用率が所定値以下の場合低倍速モードに切替える制御手段とを具備した。【選択図】図２
2008146763.tif 000002
【特許請求の範囲】
【請求項１】
ホスト装置から所定時間連続するデータを入力する入力手段と、
前記入力した所定時間連続するデータを記憶する記憶手段と、
光ディスクに前記所定時間連続するデータを記録する手段と、
高倍速モードと低倍速モードとの複数の回転倍速モードで前記光ディスクを回転させる駆動手段と、
前記高倍速モードと前記低倍速モードとのいずれかを選択する設定手段と、
前記記憶した所定時間連続するデータを前記光ディスクに記録する際、前記高倍速モードが選択されていると、前記記憶手段の使用率を判断し、前記使用率が所定値以下の場合前記低倍速モードに切替えて前記所定時間連続するデータを前記光ディスクに記録する制御手段と、を具備した光ディスク装置。
【請求項２】
ホスト装置から所定時間連続するデータを入力する入力手段と、
前記入力した所定時間連続するデータを記憶する記憶手段と、
光ディスクに前記所定時間連続するデータを記録する手段と、
高倍速モードと低倍速モードとの複数の回転倍速モードで前記光ディスクを回転させる駆動手段と、
前記高倍速モードと前記低倍速モードとのいずれかを選択する設定手段と、
前記記憶した所定時間連続するデータを前記光ディスクに記録する際、前記低倍速モードが選択されていると、前記記憶手段の使用率を判断し、前記使用率が所定値以上の場合前記高倍速モードに切替えて前記所定時間連続するデータを前記光ディスクに記録する制御手段と、を具備した光ディスク装置。
【請求項３】
前記所定時間連続するデータは、音響または映像データであることを特徴とする請求項１乃至請求項２記載の光ディスク装置。
【請求項４】
前記ホスト装置から前記入力手段を介して入力するコマンドの種別を判別する手段を備え、
前記駆動手段は、前記所定の入力手段を介して入力したコマンドが前記高倍速モードと前記低倍速モードのいずれかのモードを選択するコマンドと判別したとき、前記入力したコマンドに基づいて前記高倍速モードと前記低倍速モードとのいずれかを選択することを特徴とする請求項１乃至請求項２記載の光ディスク装置。
【請求項５】
前記記憶手段は、前記入力した所定時間連続するデータを一時記憶するバッファメモリであることを特徴とする請求項１乃至請求項２記載の光ディスク装置。
【請求項６】
前記光ディスクはＤＶＤであり、前記高倍速モードは内周位置にて３倍速以上の回転倍速であり、前記低倍速モードは内周位置にて略２倍速の回転倍速とすることを特徴とする請求項１乃至請求項２記載の光ディスク装置。
【請求項７】
前記ホスト装置は、所定時間連続するデータの出力手段との接続手段を備え、
前記入力手段は、前記出力手段から出力された所定時間連続するデータを前記ホスト装置から入力することを特徴とする請求項１乃至請求項２記載の光ディスク装置。
【請求項８】
前記所定時間連続するデータの出力手段は、ビデオカメラであることを特徴とする請求項６記載の光ディスク装置。
【請求項９】
ホスト装置から音響または映像データを入力し、
前記入力した音響または映像データを記憶手段に記憶し、
前記記憶した音響または映像データを前記光ディスクに記録する際、
高倍速モードと低倍速モードとのいずれかを選択し、
前記高倍速モードが選択されていると、前記記憶手段の使用率を判断し、前記使用率が所定値以下の場合前記低倍速モードに切替えて前記音響または映像データを前記光ディスクに記録することを特徴とする光ディスク装置の回転速度制御方法。
【請求項１０】
ホスト装置から音響または映像データを入力し、
前記入力した音響または映像データを記憶手段に記憶し、
前記記憶した音響または映像データを前記光ディスクに記録する際、
高倍速モードと低倍速モードとのいずれかを選択し、
前記低倍速モードが選択されていると、前記記憶手段の使用率を判断し、前記使用率が所定値以上の場合前記高倍速モードに切替えて前記音響または映像データを前記光ディスクに記録することを特徴とする光ディスク装置の回転速度制御方法。
【発明の詳細な説明】
【技術分野】
【０００１】
本発明は、映像機器などの音響または映像データを光ディスクに記録する光ディスク装置及びその回転速度制御方法に関するものである。
【背景技術】
【０００２】
従来、パーソナルコンピュータなどのホスト装置には外部記録装置として光ディスク装置が接続されていることが多くなっている。このパーソナルコンピュータに接続された光ディスク装置は、複数の回転倍速に切り替えて記録や再生ができるように構成されている。
【０００３】
また、パーソナルコンピュータにはビデオカメラなどの映像出力装置をＩＥＥＥ１３９４などのインターフェースを介して接続することができ、このパーソナルコンピュータに接続された映像出力装置の音響または映像データを光ディスク装置に装着したＤＶＤなどの光ディスクに記録することも可能である。
【０００４】
ビデオカメラなどの映像データを実際に再生する速度である実時間で光ディスクに記録するには、入力した映像データを一時バッファメモリに転送して蓄積しながら蓄積した映像データを順次光ディスクに記録していく構成であれば光ディスクの半径方向の内周側に記録するときの内周記録開始速度が低倍速モードとするとバッファメモリが常にフル状態となり転送レートが不足する。この場合には、光ディスクの内周記録開始位置で内周記録開始速度を高倍速モードとしたあとも、光ディスク半径方向全体に亘って高倍速モードのままで記録することがあった。
【０００５】
光ディスクにバッファメモリを介して記録する文献として、例えば（特許文献１）がある。
【特許文献１】特開２００６−１３９８３４号公報
【発明の開示】
【発明が解決しようとする課題】
【０００６】
しかしながら、従来の構成のように光ディスク半径方向全体に亘って高倍速モードで記録すると、光ディスクの面振れや光ディスクの偏重心の影響による振動での騒音が目立つことがある。
【０００７】
また、記録倍速モードを低倍速モードとしてハイビジョン等の高品質の映像データを記録すると、バッファメモリの使用率がフルとなって、光ディスク装置に接続された外部機器は光ディスク装置への情報転送を停止、起動、再生を繰り返し、光ディスク装置に接続された外部機器での騒音が目立つようになる。
【０００８】
本発明は、バッファメモリの使用率によって、光ディスクの回転速度を高倍速モードと低倍速モードとを切り替えて、光ディスク装置に接続された外部機器および光ディスク装置の総合した騒音を抑えることができる光ディスク装置及びその回転速度制御方法を提供することを目的とする。
【課題を解決するための手段】
【０００９】
かかる問題を解決するため、本発明は、ホスト装置から所定時間連続するデータを入力する入力手段と、入力した所定時間連続するデータを記憶する記憶手段と、光ディスクに所定時間連続するデータを記録する手段と、高倍速モードと低倍速モードとの複数の回転倍速モードで光ディスクを回転させる駆動手段と、高倍速モードと低倍速モードとのいずれかを選択する設定手段と、記憶した所定時間連続するデータを光ディスクに記録する際、高倍速モードが選択されていると、記憶手段の使用率を判断し、使用率が所定値以下の場合低倍速モードに切替えて所定時間連続するデータを光ディスクに記録する制御手段とを具備したものである。
【００１０】
また、ホスト装置から所定時間連続するデータを入力する入力手段と、入力した所定時間連続するデータを記憶する記憶手段と、光ディスクに所定時間連続するデータを記録する手段と、高倍速モードと低倍速モードとの複数の回転倍速モードで光ディスクを回転させる駆動手段と、高倍速モードと低倍速モードとのいずれかを選択する設定手段と、記憶した所定時間連続するデータを光ディスクに記録する際、低倍速モードが選択されていると、記憶手段の使用率を判断し、使用率が所定値以上の場合高倍速モードに切替えて所定時間連続するデータを光ディスクに記録する制御手段とを具備したものである。
【００１１】
この構成より、ホスト装置に接続された映像出力装置からホスト装置を経由してダイレクトに光ディスクに記録するときに、ホスト装置からの音響または映像データである所定時間連続するデータを入力して一時記憶する記憶手段の使用率によって光ディスクの記録倍速のモードを最適化し、ホスト装置に接続された映像出力装置の騒音と光ディスク装置自体による騒音との総合的な騒音を小さくできるようになる。
【発明の効果】
【００１２】
本発明の光ディスク装置によれば、ホスト装置に接続された映像出力機器から、ホスト装置経由で入力された音響または映像データである所定時間連続するデータを光ディスクに記録する際、高倍速で記録しているときに、入力した所定時間連続するデータを一時記憶する記憶手段の使用率が低く高倍速での記録をしなくても十分に実時間で記録できると判断したら低倍速モードで記録して、光ディスク装置の回転音を小さくし、また、低倍速で記録しているときに、入力した所定時間連続するデータを一時記憶する記憶手段の使用率が高く、映像出力装置の所定時間連続するデータの送りが度々停止し、起動や停止を切替し騒音が発生するときには、高倍速モードで記録することにより、ホスト装置に接続された映像出力装置および光ディスク装置での総合した騒音を抑えることができるようになる。
【発明を実施するための最良の形態】
【００１３】
請求項１記載の発明は、ホスト装置から所定時間連続するデータを入力する入力手段と、入力した所定時間連続するデータを記憶する記憶手段と、光ディスクに所定時間連続するデータを記録する手段と、高倍速モードと低倍速モードとの複数の回転倍速モードで光ディスクを回転させる駆動手段と、高倍速モードと低倍速モードとのいずれかを選択する設定手段と、記憶した所定時間連続するデータを光ディスクに記録する際、高倍速モードが選択されていると、記憶手段の使用率を判断し、使用率が所定値以下の場合低倍速モードに切替えて所定時間連続するデータを光ディスクに記録する制御手段とを具備したものである。
【００１４】
この構成によれば、光ディスクに所定時間連続するデータを記録する際に、光ディスクの記録回転倍速が高倍速モードが選択されていると、記憶手段の使用率を判断し使用率が所定値以下の場合低倍速モードに切替えて所定時間連続するデータを光ディスクに記録することにより、高倍速に伴う光ディスクの風切音や偏重心に伴う振動等を低倍速モードにすることで小さくできるので、騒音の小さい光ディスク装置を提供できるようになる。
【００１５】
請求項２記載の発明は、ホスト装置から所定時間連続するデータを入力する入力手段と、入力した所定時間連続するデータを記憶する記憶手段と、光ディスクに所定時間連続するデータを記録する手段と、高倍速モードと低倍速モードとの複数の回転倍速モードで光ディスクを回転させる駆動手段と、高倍速モードと低倍速モードとのいずれかを選択する設定手段と、記憶した所定時間連続するデータを光ディスクに記録する際、低倍速モードが選択されていると、記憶手段の使用率を判断し、使用率が所定値以上の場合高倍速モードに切替えて所定時間連続するデータを光ディスクに記録する制御手段とを具備したものである。
【００１６】
この構成によれば、光ディスクに所定時間連続するデータを記録する際に、光ディスクの回転倍速が低倍速モードが選択されていると、記憶手段の使用率を判断し使用率が所定値以上の場合高倍速モードに切替えて所定時間連続するデータを光ディスクに記録することにより、光ディスクの回転倍速が低倍速モードで記録のときにホスト装置に接続された映像出力装置などからの所定時間連続するデータを一時記憶する記憶手段が頻繁にフルとなってホスト装置に接続された所定時間連続するデータ出力装置が所定時間連続するデータの出力を度々停止することによる停止と駆動の繰り返しの騒音が、高倍速モードに設定することよって記憶手段がフルとなることがなくなるので、接続された機器の騒音を小さくする光ディスク装置を提供できるようになる。
【００１７】
請求項３記載の発明は、請求項１乃至請求項２記載の発明において、所定時間連続するデータは音響または映像データであることを特徴とするものである。
【００１８】
この構成によれば、所定時間連続するデータを音響または映像データとすることにより、ビデオカメラでビデオテープなどに撮影した音響データや映像データをホスト装置を介して光ディスクに記録するときに光ディスクの記録回転倍速が高倍速モードが選択されていると、記憶手段の使用率を判断し使用率が所定値以下の場合低倍速モードに切替えて音響または映像データを光ディスクに記録することにより、高倍速に伴う光ディスクの風切音や偏重心に伴う振動等を低倍速モードにすることで小さくでき、また光ディスクの回転倍速が低倍速モードで記録のときに音響または映像データを一時記憶する記憶手段が頻繁にフルとなってホスト装置に接続された音響または映像データ出力装置が音響または映像データの出力を度々停止することによる停止と駆動の繰り返しの騒音が、高倍速モードに設定することよって記憶手段がフルとなることがなくなるので、接続された機器の騒音を小さくする光ディスク装置を提供できるようになる。
【００１９】
請求項４記載の発明は、請求項１乃至請求項２記載の発明において、ホスト装置から入力手段を介して入力するコマンドの種別を判別する手段を備え、駆動手段は、所定の入力手段を介して入力したコマンドが高倍速モードと低倍速モードのいずれかのモードを選択するコマンドと判別したとき、入力したコマンドに基づいて高倍速モードと低倍速モードとのいずれかを選択するものである。
【００２０】
この構成によれば、ホスト装置から入力した情報が高倍速モードと低倍速モードのいずれかのモードを選択するコマンドを入力したとき入力したコマンドに基づいて高倍速モードと低倍速モードとのいずれかを選択して記録動作をすることにより、ホスト装置で動作するプログラムで任意に高倍速モードと低倍速モードのいずれかのモードを設定できるので、音響または映像データの記録の有無に係わらず回転倍速モード設定ができ、どの回転倍速モードに設定しても、音響または映像データを記録するときには、バッファメモリの使用率をもとに騒音を小さくすることができるようになる。
【００２１】
請求項５記載の発明は、請求項１乃至請求項２記載の発明において、記憶手段は、入力した所定時間連続するデータを一時記憶するバッファメモリとしたものである。
【００２２】
この構成によれば、記憶手段をプログラムなどを記憶する主記憶手段とは別に用意したバッファメモリとすることにより、ホスト装置から入力して一時記憶する所定時間連続するデータの使用率の判断が容易になる。
【００２３】
請求項６記載の発明は、請求項１乃至請求項２記載の発明において、光ディスクはＤＶＤであり、高倍速モードは内周位置にて３倍速以上の回転倍速であり、低倍速モードは内周位置にて略２倍速の回転倍速とするものである。
【００２４】
この構成によれば、Ｈｉｇｈ  Ｖｉｓｉｏｎ等の高品質な所定時間連続するデータである音響または映像データ（ＨＤ映像）を直接ＤＶＤに記録する場合、転送レートが不足するデータのときは、内周記録開始速度は高倍速の３．３倍速記録（３倍速以上）とし、転送レートが不足しないときには、低倍速モードとして光ディスクの面ぶれや偏重心などの振動を少なくして静音化ができるようになる。
【００２５】
請求項７記載の発明は、請求項１乃至請求項２記載の発明において、ホスト装置は、所定時間連続するデータの出力手段との接続手段を備え、入力手段は、出力手段から出力された所定時間連続するデータをホスト装置から入力するものである。
【００２６】
この構成によれば、ホスト装置は所定時間連続するデータの出力手段との接続手段を備え、所定時間連続するデータの入力手段は、所定時間連続するデータの出力手段から出力される所定時間連続するデータをホスト装置より入力することにより、ホスト装置にＩＥＥＥ１３９４などのインターフェースで接続されたビデオ装置などの所定時間連続するデータの出力装置などの機器から入力した所定時間連続するデータを記録するときに、高倍速モードが選択されていると、記憶手段の使用率を判断し使用率が所定値以下の場合低倍速モードに切替えて所定時間連続するデータを光ディスクに記録することにより、高倍速に伴う光ディスクの風切音や偏重心に伴う振動等を低倍速モードにすることで小さくできるので、騒音の小さい光ディスク装置を提供できるようになる。
【００２７】
請求項８記載の発明は、請求項６記載の発明において、所定時間連続するデータの出力手段はビデオカメラであることを特徴とするものである。
【００２８】
この構成によれば、所定時間連続するデータの出力手段はビデオカメラであるとしたことにより、ビデオカメラでＤＶテープなどに撮影した音響または映像データをホスト装置に転送して記録するときに高倍速モードが選択されていると、記憶手段の使用率を判断し使用率が所定値以下の場合低倍速モードに切替えて音響または映像データを光ディスクに記録することにより、高倍速に伴う光ディスクの風切音や偏重心に伴う振動等を低倍速モードにすることで小さくできるので、騒音の小さい光ディスク装置を提供できるようになる。
【００２９】
また、光ディスクの内周記録開始位置では、ハイビジョン等の高品質の映像を記録しようとすると光ディスクに記録する転送レートが不足して記憶手段がフルの状態が続くので高倍速モードで記録し、外周記録位置では転送レートが不足せず記憶手段の使用率が低くなるので低倍速モードとすることができるので、騒音の小さい光ディスク装置を提供できるようになる。
【００３０】
また、光ディスクの内周記録開始位置での転送レートが不足することがないときには、光ディスクの内周記録開始位置でも低倍速モードで記録して光ディスクの回転に伴う騒音を小さくすることができる。
【００３１】
請求項９記載の発明は、ホスト装置から音響または映像データを入力し、入力した音響または映像データを記憶手段に記憶し、前記記憶した音響または映像データを前記光ディスクに記録する際、高倍速モードと低倍速モードとのいずれかを選択し、高倍速モードが選択されていると、記憶手段の使用率を判断し、使用率が所定値以下の場合低倍速モードに切替えて音響または映像データを光ディスクに記録するものである。
【００３２】
この方法によれば、光ディスクに情報を記録する際に、光ディスクの記録倍速が高倍速モードが選択されていると、記憶手段の使用率を判断し使用率が所定値以下の場合低倍速モードに切替えて音響または映像データを光ディスクに記録することにより、高倍速に伴う光ディスクの風切音や偏重心に伴う振動等を低倍速モードにすることで小さくできるので、騒音の小さい光ディスク装置の回転速度制御方法とすることができるようになる。
【００３３】
また、光ディスクの内周記録開始位置では、ハイビジョン等の高品質の映像を記録しようとすると光ディスクに記録する転送レートが不足して記憶手段がフルの状態が続くので高倍速モードで記録し、外周記録位置では転送レートが不足せず記憶手段の使用率が低くなるので低倍速モードとすることができるので、騒音の小さい光ディスク装置の回転速度制御方法とすることができるようになる。
【００３４】
また、光ディスクの内周記録開始位置での転送レートが不足することがないときには、光ディスクの内周記録開始位置でも低倍速モードで記録して光ディスクの回転に伴う騒音を小さくすることができる。
【００３５】
請求項１０記載の発明は、ホスト装置から音響または映像データを入力し、入力した音響または映像データを記憶手段に記憶し、記憶した音響または映像データを光ディスクに記録する際、高倍速モードと低倍速モードとのいずれかを選択し、低倍速モードが選択されていると、記憶手段の使用率を判断し、使用率が所定値以上の場合高倍速モードに切替えて音響または映像データを光ディスクに記録するものである。
【００３６】
この方法によれば、光ディスクに音響または映像データを記録する際に、低倍速モードが選択されていると、記憶手段の使用率を判断し使用率が所定値以上の場合高倍速モードに切替えて音響または映像データを光ディスクに記録することにより、低倍速モードで記録のときにホスト装置に接続された映像出力装置からの音響または映像データを一時記憶する記憶手段が頻繁にフルとなってホスト装置に接続された音響または映像データ出力装置が音響または映像データの出力を度々停止することによる停止と駆動の繰り返しの騒音が、高倍速モードによって記憶手段がフルとなることがなくなるので、接続された機器の騒音を小さくすることができるようになる。
【００３７】
（実施の形態）
以下、本発明を実施するための最良実施の形態について図面を参照しながら説明する。
【００３８】
図１は、本発明の実施の形態に係わるパーソナルコンピュータ装置と光ディスク装置に関する接続図である。
【００３９】
図１において、１１はホスト装置であるパーソナルコンピュータ、１２はディスプレイ、１３は映像出力装置であるビデオカメラ、１４はインターフェース端子、１５はインターフェースケーブル、１６はコネクタ、１７はディスプレイケーブル、１８は光ディスク装置、１９は電源スイッチである。
【００４０】
パーソナルコンピュータ１１の電源スイッチ１９をＯＮすると、パーソナルコンピュータ１１内のオペレーディングシステム（ＯＳ）、例えばＷｉｎｄｏｗｓ（登録商標）が起動しパーソナルコンピュータ１１が使用でき、ユーザは所望のソフトウェアを選択して実行することができるようになる。パーソナルコンピュータ１１の使用が終了し、パーソナルコンピュータ１１の電源をＯＦＦするには、ＯＳのシャットダウン操作によって電源をＯＦＦする。
【００４１】
パーソナルコンピュータ１１に備えたインターフェース端子１４は複数個数備えられており、このインターフェース端子１４にインターフェースケーブル１５でビデオカメラなどの映像出力装置１３及びその他の周辺装置を複数接続することができる。インターフェースとしては、ＩＥＥＥ１３９４、ＵＳＢなどが使用できる。
【００４２】
インターフェースケーブル１５の端部にはコネクタ１６がありこのコネクタ１６をインターフェース端子１４に挿入して接続する。映像出力装置１３のインターフェースケーブル１５のコネクタ１６をインターフェース端子１４に挿入すると、ＯＳによって接続が認識されると映像出力装置１３の使用が可能となる。
【００４３】
光ディスク装置１８はパーソナルコンピュータ装置に予め備えられている光ディスク装置であり、光ディスク装置１８は装着する光ディスクに対して再生だけでなく記録も可能なものである。
【００４４】
パーソナルコンピュータ１１とディスプレイ１２とは、ディスプレイケーブル１７で接続されており、パーソナルコンピュータ１１の文字や映像の出力装置として動作しパーソナルコンピュータ１１で実行するソフトウェアの実行に伴う情報の表示ができる。
【００４５】
映像出力装置（例えばビデオカメラ）１３は、装着したＤＶテープや、小型の光ディスクに対してＨｉｇｈ  Ｖｉｓｉｏｎ等の高品質な映像（ハイビジョン映像）を記録および再生ができるものである。
【００４６】
パーソナルコンピュータ１１のソフトウェアを動作させることによって、映像出力装置である例えばビデオカメラ１３で再生された音響または映像データなどのコンテンツは、光ディスク装置１８に装着された光ディスクに記録できる。
【００４７】
図２は、本発明の実施の形態に係わる光ディスク装置のブロック図である。
【００４８】
図２において、光ディスク装置１８は、光ピックアップモジュール１０２、スピンドルモータ１０３、フィードモータ１０４、サーボモジュール１０５、信号制御部１０６、ＣＰＵ１０７、メインメモリ１０８、バッファメモリ１０９、インターフェース１１４から構成されている。
【００４９】
そして、パーソナルコンピュータ１１に接続され、光ディスク１０１に記録された情報をパーソナルコンピュータ１１に出力したり、パーソナルコンピュータ１１の情報を光ディスク１０１に出力したりできる構成としている。
【００５０】
光ピックアップ手段であるピックアップモジュール１０２は、レーザ発光素子（図示せず）を有し、光ディスク１０１への情報の記録、再生時にレーザ光を照射し、記録および再生を行う。スピンドルモータ１０３は、光ディスク１０１の回転を行う。
【００５１】
光ピックアップの移動手段であるフィードモータ１０４は、光ピックアップモジュール１０２をスピンドルモータ１０３に近づいたり離れたり移動させる。サーボモジュール１０５は、フィードモータ１０４の移動制御およびスピンドルモータ１０３の回転速度を制御する回転速度制御手段である。
【００５２】
パーソナルコンピュータ１１と光ディスク装置１８の接続手段であるインターフェース１１４は、パーソナルコンピュータ１１との情報信号の送信および受信を行う。
【００５３】
ＣＰＵ１０７はメインメモリ１０８と接続され、メインメモリ１０８に記録されたプログラム（ファームウェア）により、サーボモジュール１０５の制御と信号処理及びパーソナルコンピュータ１１とのインターフェース１１４の制御を行ない光ディスク１０１の情報再生や、光ディスク１０１への情報記録を行う。
【００５４】
また、記憶手段であるバッファメモリ１０９は、インターフェース１１４を介して入力した記録情報やインターフェース１１４を介して出力する再生情報を一時的に保存する記憶装置である。ＣＰＵ１０７は、バッファメモリ１０９の使用率監視手段１１１を備えている。
【００５５】
信号制御部１０６は、光ピックアップモジュール１０２からの出力信号を基に、光ディスク１０１のフォーカス制御及びトラッキング制御を行う。
【００５６】
パーソナルコンピュータ１１と光ディスク装置１８とは、インターフェース１１４で接続されており、パーソナルコンピュータ１１からの制御信号、例えばＡＴＡＰＩパケットコマンドを基に光ディスク装置１８はパーソナルコンピュータ１１に応答し、光ディスク装置１８の情報を読み込んだり、光ディスク装置１８に情報を記録したりする。パーソナルコンピュータ１１と光ディスク装置１８はケーブル１１３で接続されている。また、前記インターフェース１１４は、ＳＣＳＩインターフェースや、ＩＤＥインターフェース等である。
【００５７】
光ディスク１０１に３倍速以上の高倍速モードで記録中のときに、バッファメモリ１０９の使用率が一定値以下のときは、記録倍速を低倍速モードの２倍速に下げてもバッファメモリ１０９がフル状態にならないと判断して、記録倍速を２倍速とする。
【００５８】
例えば、ＤＶＤ＋ＲＷの低倍速モードが２．４倍速であり、高倍速モードを３．３倍速とし、バッファメモリ１０９の使用率が９８％のときフル状態になったとみなすと、高倍速モードから低倍速モードへ記録倍速を変更するときの使用率の一定値は、
９８％×２．４／３．３＝７１％
となり、７１％を目安（６０％〜７２％）に設定すればよい。
【００５９】
また、光ディスク１０１に２倍速の低倍速モードで記録中のときに、バッファメモリ１０９に使用率が一定値以上のとき、例えば９８％以上のときは、バッファメモリ１０９がフル状態と判断し、記録倍速を高倍速モードの３倍速以上とする。
【００６０】
記録倍速を低倍速モードの２倍速に下げてもバッファメモリがフル状態にならないと判断して、記録倍速を低倍速モードの２倍速とする。
【００６１】
パーソナルコンピュータ１１からの記録データは、パーソナルコンピュータ１１の外部記録装置として光ディスク１０１に記録するときは短時間で記録しバッファメモリ１０９がフル状態になることは少ないが、映像出力装置１３からのデータは、数分から数十分もしくは数時間にもなる記録時間となり、度々バッファメモリ１０９がフルになる状態が発生する。
【００６２】
従って、音響または映像データなどの所定時間すなわち数分間連続するデータであれば、フルになる状態が発生するとみなすことができる。
【００６３】
これにより、光ディスク１０１に音響または映像データを記録する際に、高倍速モードが選択されていると、バッファメモリ１０９の使用率を判断し使用率が所定値以下の場合低倍速モードに切替えて音響または映像データを光ディスク１０１に記録することにより、高倍速に伴う光ディスク１０１の風切音や偏重心に伴う振動等を低倍速モードにすることで小さくできるので、騒音の小さい光ディスク装置１８を提供できるようになる。
【００６４】
また、光ディスク１０１の内周記録開始位置での転送レートが不足することがないときには、光ディスク１０１の内周記録開始位置でも低倍速モードで記録して光ディスク１０１の回転に伴う騒音を小さくすることができる。
【００６５】
光ディスク１０１の回転倍速の初期設定は、パーソナルコンピュータ１１から発行するコマンドにて設定することができる。
【００６６】
図３は、本発明の実施の形態に係わるパーソナルコンピュータから光ディスクへ発行されるコマンドの説明図である。
【００６７】
パーソナルコンピュータ１１と光ディスク装置１８は、パーソナルコンピュータ１１が発行するコマンドに応答して光ディスク装置１８が動作する。
【００６８】
本発明の実施の形態では、パーソナルコンピュータ１１が初期の記録倍速の設定を光ディスク装置１８に発行するコマンドとして、ベンダーユニークコマンドを発行して光ディスク装置１８の記録倍速の設定を行う構成としている。
【００６９】
ベンダーユニークコマンドの構成は、図３に示すように１２バイトのコマンドパラメータ領域を有している。
【００７０】
図３（ａ）は、パーソナルコンピュータ１１から光ディスク装置１８に対して発行される初期化モード確認用コマンドであり、図３（ｂ）は、記録倍速の設定コマンドである。
【００７１】
光ディスク装置１８の現在の記録倍速を確認するために、パーソナルコンピュータ１１から図３（ａ）のコマンドを発行する。
【００７２】
パーソナルコンピュータ１１が記録倍速を確認する際には、コマンドの０バイトにベンダーユニークコマンドのＯｐｅｒａｔｉｏｎ  ＣｏｄｅであるＥ８ｈを設定して光ディスク装置１８に対してコマンドとして発行する。光ディスク装置１８ではこのコマンドを受信すると現在の記録倍速をパーソナルコンピュータ１１に応答する。
【００７３】
また、パーソナルコンピュータ１１が記録倍速の変更を要求する際には、コマンドの０バイトにベンダーユニークコマンドのＯｐｅｒａｔｉｏｎ  ＣｏｄｅであるＥ７ｈ、第６バイトにモード変更を行うＳｕｂ  Ｏｐｅ−Ｃｏｄｅである低倍速モードを指定する００ｈまたは高倍速モードを指定する０１ｈを設定して光ディスク装置１８に対してコマンドとして発行する。
【００７４】
光ディスク装置１８ではこの受信したベンダーユニークコマンドを検知して、入力したコマンドが記録倍速を変更するコマンドと検知したら検知したコマンドのＳｕｂ  Ｏｐｅ−Ｃｏｄｅにより記録倍速を識別して、識別した記録倍速に変更をする。
【００７５】
なお、本発明の実施の形態においては、ベンダーユニークコマンドで説明したが、本発明の実施の形態にこだわらずＡＴＡＰＩやＳＣＳＩなどのインターフェースのコマンドを利用してもよい。
【００７６】
これらの記録倍速モードの指定は、パーソナルコンピュータ１１で動作するプログラムによって指定することができるし、また、パーソナルコンピュータ１１に常駐するプログラムで、常駐プログラムのタスクバーを開いてユーザが任意に初期化動作モードを指定することで、光ディスク装置１８にコマンドを発行することができる。
【００７７】
図４は、本発明の実施の形態に係わる記録動作の処理のシーケンス図である。
【００７８】
パーソナルコンピュータの電源がＯＮされ（Ｓ１００）、光ディスク装置１８の接続確認がされ（Ｓ１０１）、光ディスク装置１８が接続されると（Ｓ１０２）、光ディスク装置１８は、接続応答をし（Ｓ１０３）、パーソナルコンピュータ１１は光ディスク装置１８の接続認識をし（Ｓ１０４）、光ディスク装置１８がパーソナルコンピュータ１１からの要求で記録再生可能となる。
【００７９】
また、パーソナルコンピュータ１１は映像出力装置１３の接続を確認し（Ｓ１０５）、映像出力装置１３、例えばビデオカメラが接続されると（Ｓ１０６）、映像出力装置１３はパーソナルコンピュータ１１に対して接続応答をし（Ｓ１０７）、パーソナルコンピュータ１１は、映像出力装置１３の接続認識をし（Ｓ１０８）、映像出力装置１３がパーソナルコンピュータ１１からの要求で再生可能となる。
【００８０】
パーソナルコンピュータ１１が光ディスク装置１８の現在の記録倍速の確認が要すると判断したら（Ｓ１０９）、パーソナルコンピュータ１１から現在の光ディスク装置１８へ現在の記録倍速を確認する記録倍速確認コマンドを送る（Ｓ１１０）。
【００８１】
光ディスク装置１８は、パーソナルコンピュータ１１に応答して、現在の記録倍速を取得し（Ｓ１１１）、パーソナルコンピュータ１１へ記録倍速確認を応答し（Ｓ１１２）、パーソナルコンピュータ１１は光ディスク装置１８の現在の記録倍速を取得する（Ｓ１１３）。
【００８２】
パーソナルコンピュータ１１で動作しているユーティリティプログラムが、映像出力装置１３からの音響または映像データを入手して光ディスク装置１８の光ディスク１０１に記録する際に、映像出力装置１３に対して読出しを開始すると（Ｓ１１４）、パーソナルコンピュータ１１は映像出力装置１３に読出要求のコマンドを送り（Ｓ１１５）、映像出力装置１３は、読出要求に応答して音響または映像データを取得し（Ｓ１１６）、パーソナルコンピュータ１１に情報を転送する（Ｓ１１７）。
【００８３】
映像出力装置１３から読出された音響または映像データは、パーソナルコンピュータ１１に内蔵されているハードディスク（図示せず）などには記憶されることなく、直接ダイレクトカット方式にて光ディスク装置１８で記録を行う。パーソナルコンピュータ１１から光ディスク装置１８の記録要求を行い（Ｓ１１８）、映像出力装置１３から送られた音響または映像データを光ディスク装置１８へ転送すると（Ｓ１１９）、光ディスク装置１８では転送された音響または映像データをバッファメモリ１０９に一時保存しながら光ディスク１０１に記録する動作でのバッファメモリ１０９の使用率を監視して前に述べたバッファメモリ１０９の使用率に基く回転制御を行う（Ｓ１２０）。
【００８４】
映像出力装置１３が音響または映像データの終了と判断したら（Ｓ１２１）、パーソナルコンピュータ１１に終了処理のコマンドを送る（Ｓ１２２）。
【００８５】
映像出力装置１３からの終了処理による読出終了または、パーソナルコンピュータ１１で動作しているプログラムによる終了処理によって、光ディスク装置１８の記録を終了するときは（Ｓ１２３）、パーソナルコンピュータ１１は終了コマンドを光ディスク装置１８に発行し（Ｓ１２４）、光ディスク装置１８は終了処理を行い（Ｓ１２５）、パーソナルコンピュータ１１へ終了処理を応答し（Ｓ１２６）、処理を終了する（Ｓ１２７）。
【００８６】
図５は、本発明の実施の形態に係わる光ディスク装置のコマンド処理のフローチャートである。
【００８７】
動作が開始されると（Ｓ２０１）、パーソナルコンピュータ１１からコマンドが発行されたかどうかを判別し（Ｓ２０２）、コマンドが発行されると、入力したコマンドは現在の記録倍速を確認するコマンドかどうか判別され（Ｓ２０３）、現在の記録倍速を確認するコマンドであれば、現在の記録倍速を取得し（Ｓ２０４）、パーソナルコンピュータ１１に応答し（Ｓ２０５）、（Ｓ２０２）のコマンド入力待ちの処理に戻る。
【００８８】
入力したコマンドが現在の記録倍速を確認するコマンドでないと判断したときは（Ｓ２０３）、入力したコマンドが記録倍速を設定するコマンドかどうか判別し（Ｓ２０６）、入力したコマンドが記録倍速を設定するコマンドのときは設定する記録倍速を取得し（Ｓ２０７）、取得した設定記録倍速が高倍速モードのときは高倍速モードとし（Ｓ２０８）、取得した設定記録倍速が低倍速モードのときは低倍速モードとし（Ｓ２０９）、（Ｓ２０２）のコマンド入力待ちの処理に戻る。
【００８９】
入力したコマンドが記録倍速を設定するコマンドでないと判別すると（Ｓ２０６）、入力したコマンドが音響または映像データを記録するコマンドかどうか判別し（Ｓ２１０）、音響または映像データを記録するコマンドであれば、入力した音響または映像データを一時記憶しながら光ディスク１０１へ記録しているときのバッファメモリ１０９の使用率を取得し（Ｓ２１１）、現在の記録倍速が高倍速モードか低倍速モードかを判別し（Ｓ２１２）、高倍速モードのときは、バッファメモリ１０９の使用率が所定値、例えば６０％〜７２％より小さいかどうか判別し（Ｓ２１３）、バッファメモリ１０９の使用率が所定値以下であれば低倍速モードに設定し（Ｓ２１４）、所定値以下でなければ記録倍速はそのままとし、（Ｓ２０２）のコマンド入力待ちの処理に戻る。
【００９０】
現在の光ディスク１０１へ記録している記録倍速モードが低倍速モードと判別すると（Ｓ２１２）、入力した音響または映像データを一時記憶しながら光ディスク１０１へ記録しているときのバッファメモリ１０９の使用率が所定値以上例えば９８％以上かどうかを判別し（Ｓ２１５）、所定値以上のときは記録倍速を高倍速モードとし、バッファメモリ１０９の使用率が所定値以上でなければ低倍速モードのままとし、（Ｓ２０２）のコマンド入力待ちの処理に戻る。
【００９１】
入力したコマンドが記録処理を終了するコマンドかどうかを判別し（Ｓ２１７）、記録処理を終了するコマンドであれば、記録動作を終了する（Ｓ２１９）。
【００９２】
入力したコマンドが、記録倍速を確認するコマンドでなくまた記録倍速を設定するコマンドでもなくまた音響または映像データを記録するコマンドでもなく、処理を終了するコマンドでもなければ、対応するコマンド処理を行い（Ｓ２１８），（Ｓ２０２）のコマンド入力待ちの処理に戻る。
【００９３】
図６は、本発明の実施の形態に係わる映像出力装置の処理のフローチャートである。
【００９４】
図６において、動作が開始されると（Ｓ３０１）、パーソナルコンピュータ１１からの読出要求があるかどうか判別し（Ｓ３０２）、読出要求があるまで待機して読出し要求があると所定量の音響または映像データを取得し（Ｓ３０３）、パーソナルコンピュータ１１に音響または映像データを転送する（Ｓ３０４）。そして音響または映像データが終わりかどうかを判別し（Ｓ３０５）、音響または映像データが終わりでなければ（Ｓ３０２）の読出要求処理に戻る。
【００９５】
転送できる音響または映像データが終わりであれば（Ｓ３０５）、パーソナルコンピュータ１１に対して終了処理を行い（Ｓ３０６）、処理を終了する（Ｓ３０７）。
【００９６】
図７は、本発明の実施の形態に係わるパーソナルコンピュータの処理のフローチャートである。
【００９７】
図７において、パーソナルコンピュータ１１でユーティリティプログラムが実行され処理動作が開始されると（Ｓ４０１）、光ディスク装置１８が接続されるのを判別し（Ｓ４０２）、光ディスク装置１８が接続されると、光ディスク装置１８に光ディスク１０１が装着されるのを判別する（Ｓ４０３）。
【００９８】
そして、映像出力装置１３が接続されるのを監視する（Ｓ４０４）。映像出力装置１３が接続されると、実行中のユーティリティプログラムによって記録倍速の確認を要するかどうか判断し（Ｓ４０５）、記録倍速の確認を要すると判断したら光ディスク装置１８に記録倍速確認コマンドを発行し（Ｓ４０６）、光ディスク装置１８から現在の記録倍速を取得する（Ｓ４０７）。記録倍速の確認を要しないときは、記録倍速の取得処理をしない。
【００９９】
ユーティリティプログラムが記録倍速の設定が必要と判断したら（Ｓ４０８）、光ディスク装置１８に記録倍速設定コマンドを発行する（Ｓ４０９）。記録倍速の設定を必要としなければ記録倍速の設定コマンド発行処理をしない。そして、映像出力装置１３から音響または映像データの取得のために取得するためのコマンドを映像出力装置１３に発行し（Ｓ４１０）、映像出力装置１３から所定量の音響または映像データを取得し（Ｓ４１１）、取得した音響または映像データを光ディスク装置１８に記録コマンドとともに音響または映像データを転送し（Ｓ４１２）、音響または映像データの転送が終了したかどうか判別し（Ｓ４１３）、所定量の転送が終わっていなければ（Ｓ４１２）に戻り処理を続ける。
【０１００】
所定量の音響または映像データの転送が終了すれば、映像出力装置１３からの音響または映像データが終了したかどうかを判別し（Ｓ４１４）、終了しなければ次の音響または映像データを取得するために（Ｓ４１０）に戻って処理を続ける。
【０１０１】
映像出力装置１３からの終了する旨の応答があれば、光ディスク装置１８に終了コマンドを発行し（Ｓ４１５）、処理を終了する（Ｓ４１６）。
【０１０２】
本発明の実施の形態によれば、光ディスク１０１に音響または映像データを記録する際に、高倍速モードが選択されていると、バッファメモリ１０９の使用率が所定値以下の場合低倍速モードに切替えて音響または映像データを光ディスク１０１に記録することにより、高倍速に伴う光ディスク１０１の風切音や偏重心に伴う振動等を低倍速モードにすることで小さくできるので、騒音の小さい光ディスク装置１８を提供できるようになる。
【０１０３】
また、光ディスク１０１の内周記録開始位置では、ハイビジョン等の高品質の映像データを記録しようとすると光ディスク１０１に記録する転送レートが不足してバッファメモリ１０９がフルの状態が続くので高倍速モードで記録し、外周記録位置では転送レートが不足せずバッファメモリ１０９の使用率が低くなるので低倍速モードとすることができるので、騒音の小さい光ディスク装置１８を提供できるようになる。
【０１０４】
また、光ディスク１０１の内周記録開始位置での転送レートが不足することがないときには、光ディスク１０１の内周記録開始位置でも低倍速モードで記録して光ディスク１０１の回転に伴う騒音を小さくすることができる。
【０１０５】
また、光ディスク１０１に音響または映像データを記録する際に、低倍速モードが選択されていると、バッファメモリ１０９の使用率を判断し使用率が所定値以上の場合高倍速モードに切替えて音響または映像データを光ディスク１０１に記録することにより、低倍速モードで記録のときにホスト装置に接続された映像出力装置１３からの音響または映像データを一時記憶するバッファメモリ１０９が頻繁にフルとなってホスト装置に接続された映像出力装置１３が音響または映像データの出力を度々停止することによる停止と駆動の繰り返しの騒音が、高倍速モードによってバッファメモリ１０９がフルとなることがなくなるので、接続された機器の騒音を小さくする光ディスク装置１８を提供できるようになる。
【産業上の利用可能性】
【０１０６】
本発明に係る光ディスク装置及びその回転速度制御方法は、ビデオカメラなどの映像出力装置の高品質の音響または映像データを光ディスクに記録するとき、光ディスクの回転に伴う騒音と送り側である映像出力装置の再生の時の騒音を静音化ができるので、深夜や静かな部屋で音響または映像データを記録する光ディスク装置及びその回転速度制御方法として有用である。
【図面の簡単な説明】
【０１０７】
【図１】本発明の実施の形態に係わるパーソナルコンピュータ装置と光ディスク装置に関する接続図
【図２】本発明の実施の形態に係わる光ディスク装置のブロック図
【図３】本発明の実施の形態に係わるパーソナルコンピュータから光ディスクへ発行されるコマンドの説明図
【図４】本発明の実施の形態に係わる記録動作の処理のシーケンス図
【図５】本発明の実施の形態に係わる光ディスク装置のコマンド処理のフローチャート
【図６】本発明の実施の形態に係わる映像出力装置の処理のフローチャート
【図７】本発明の実施の形態に係わるパーソナルコンピュータの処理のフローチャート
【符号の説明】
【０１０８】
１１    パーソナルコンピュータ
１３    映像出力装置
１８    光ディスク装置
１０１    光ディスク
１０２    光ピックアップモジュール
１０３    スピンドルモータ
１０５    サーボモジュール
１０６    信号制御部
１０７    ＣＰＵ
１０８    メインメモリ
１０９    バッファメモリ
１１１    使用率監視手段
１１４    インターフェース
【図１】
2008146763.tif 000003
【図２】
2008146763.tif 000004
【図３】
2008146763.tif 000005
【図４】
2008146763.tif 000006
【図５】
2008146763.tif 000007
【図６】
2008146763.tif 000008
【図７】
2008146763.tif 000009